(57)【特許請求の範囲】
【請求項１】
電源から供給される電力に基づいて、所定の電圧を生成する定電圧生成手段と、
前記電源と前記定電圧生成手段とを接続する第１の電流経路上に設けられた、ユーザからの操作に基づいて当該第１の電流経路の開閉を切り替える第１のスイッチと、
前記電源と前記定電圧生成手段とを接続し、前記第１のスイッチに並列する第２の電流経路上に設けられた、当該第２の電流経路の開閉を切り替える開閉回路と、
前記第１のスイッチに対する前記第１の電流経路を開状態とする操作を検出する第１の検出手段と、
前記検出手段が検出した前記第１の電流経路を開状態とする操作のパターンに基づいて、前記開閉回路を開状態にするタイミングを制御する遮断制御手段と、
を備えることを特徴とする画像形成装置。
【請求項２】
前記第１の検出手段が所定の操作を検出してから、所定の時間を計測する計測手段をさらに備え、
前記遮断制御手段は、前記計測手段が前記所定の時間を計測している間に、前記検出手段が検出した前記操作のパターンに基づいてタイミングを制御すること、
を特徴とする請求項１に記載の画像形成装置。
【請求項３】
前記遮断制御手段は、前記操作のパターンに基づくタイミング制御として、即時遮断制御、ジョブが終了した後のシャットダウン処理、及び強制出力した後のシャットダウン処理から選択された制御を行うこと、
を特徴とする請求項１又は２に記載の画像形成装置。
【請求項４】
前記遮断制御手段は、前記検出手段が検出した前記操作のパターンとして前記スイッチをオフにする押下の回数に基づいて、電力の遮断制御を行うこと、
を特徴とする請求項１乃至３のいずれか一つに記載の画像形成装置
【請求項５】
ユーザからの操作に基づいて、前記電源からの電源供給をオン又はオフにする信号を出力する第２のスイッチと、
前記第２のスイッチへの操作を検出する第２の検出手段と、をさらに備え、
前記遮断制御手段は、前記第１の検出手段及び前記第２の検出手段の検出結果に基づいて、前記開閉回路を開状態にするタイミングを制御すること、
を特徴とする請求項１乃至４のいずれか一つに記載の画像形成装置
【請求項６】
前記第１の電流経路を開状態とする前記操作のパターンと、前記開閉回路を開状態にするタイミングと、を対応付けて記憶する記憶手段をさらに備え、前記遮断制御手段は、前記記憶手段に基づいて制御を行うことを特徴とする
請求項１乃至４のいずれか一つに記載の画像形成装置。
【請求項７】
前記第１の電流経路を開状態とする操作のパターンと、前記第２のスイッチに対する操作のパターンと、前記開閉回路を開状態にするタイミングと、を対応付けて記憶する記憶手段をさらに備え、前記遮断制御手段は、前記記憶手段に基づいて制御を行うことを特徴とする
請求項５に記載の画像形成装置。
【請求項８】
前記記憶手段に記憶されている前記第１の電流経路を開状態とする操作のパターン、及び前記開閉回路を開状態にするタイミングのどちらかを変更する変更手段をさらに備えること、
を特徴とする請求項６に記載の画像形成装置。
【請求項９】
前記記憶手段に記憶されている前記第１の電流経路を開状態とする操作のパターン、前記第２のスイッチに対する操作のパターン及び前記開閉回路を開状態にするタイミングのいずれか一つを変更する変更手段をさらに備えること、
を特徴とする請求項７に記載の画像形成装置。
【請求項１０】
電源から供給される電力に基づいて、所定の電圧を生成する定電圧生成手段と、前記電源と前記定電圧生成手段とを接続する第１の電流経路上に設けられた、ユーザからの操作に基づいて当該第１の電流経路の開閉を切り替えるスイッチと、前記電源と前記定電圧生成手段とを接続し、前記スイッチに並列する第２の電流経路上に設けられた、当該第２の電流経路の開閉を切り替える開閉回路とを備える画像形成装置が実行する電源制御方法において、
前記スイッチに対する前記第１の電流経路を開状態とする操作のパターンを検出する検出ステップと、
検出した前記第１の電流経路を開状態とする操作のパターンに基づいて、前記開閉回路を開状態にするタイミングを制御する制御ステップと、
を含むことを特徴とする電源制御方法。
【発明の詳細な説明】
【技術分野】
【０００１】
本発明は、画像形成装置、及び電源制御方法に関する。
【背景技術】
【０００２】
従来から、画像形成装置においては、シャットダウンモードが設けられている。このシャットダウンモードでは、ＨＤＤの保護、セキュリティ（ログ取得）を目的としたシャットダウン処理を行っている。画像形成装置では、シャットダウン時にスプールされているジョブをどうするべきか、という課題がある。
【０００３】
つまり、従来のシャットダウンモードでは、シャットダウン実行時の機器の状態に係わらず、強制的にシャットダウンモードに移行してしまうが、このときに実行中のジョブについては終了処理がなされていないことになる。
【０００４】
これに対し、例えば特許文献１に記載された技術では、画像形成装置では、シャットダウン処理時に、スプール済みの印刷データが残っていることを表示し、当該印刷ジョブの印刷又は破棄の選択を受け付ける。そして、印刷ジョブの印刷又は破棄の選択を受け付けた場合に、当該選択に基づいて処理を行った後、処理を行ったことをユーザに対して通知している。これにより、シャットダウン時に残っていた印刷ジョブをユーザの要求に応じて処理することで、印刷ジョブに対して適切な対応を行うことができる。
【発明の概要】
【発明が解決しようとする課題】
【０００５】
しかしながら、特許文献１に記載された技術では、シャットダウン処理を受け付けてから、ユーザから印刷ジョブの実行、削除の選択を受け付ける必要があり、緊急時にシャットダウンを行う際の安全性は考慮されていなかった。
【０００６】
本発明は、上記に鑑みてなされたものであって、ジョブに対して適切な対応をとることと、シャットダウン時の安全性を確保することと、の両立を図る画像形成装置、及び電源制御方法を提供することを目的とする。
【課題を解決するための手段】
【０００７】
上述した課題を解決し、目的を達成するために、本発明にかかる画像形成装置は、電源から供給される電力に基づいて、所定の電圧を生成する定電圧生成手段と、前記電源と前記定電圧生成手段とを接続する第１の電流経路上に設けられた、ユーザからの操作に基づいて当該第１の電流経路の開閉を切り替える第１のスイッチと、前記電源と前記定電圧生成手段とを接続し、前記第１のスイッチに並列する第２の電流経路上に設けられた、当該第２の電流経路の開閉を切り替える開閉回路と、前記第１のスイッチに対する前記第１の電流経路を開状態とする操作を検出する第１の検出手段と、前記検出手段が検出した前記第１の電流経路を開状態とする操作のパターンに基づいて、前記開閉回路を開状態にするタイミングを制御する遮断制御手段と、を備えることを特徴とする。
【０００８】
また、本発明にかかる画像形成装置が実行する電源制御方法において、電源から供給される電力に基づいて、所定の電圧を生成する定電圧生成手段と、前記電源と前記定電圧生成手段とを接続する第１の電流経路上に設けられた、ユーザからの操作に基づいて当該第１の電流経路の開閉を切り替えるスイッチと、前記電源と前記定電圧生成手段とを接続し、前記スイッチに並列する第２の電流経路上に設けられた、当該第２の電流経路の開閉を切り替える開閉回路とを備える画像形成装置が実行する電源制御方法において、前記スイッチに対する前記第１の電流経路を開状態とする操作のパターンを検出する検出ステップと、検出した前記第１の電流経路を開状態とする操作のパターンに基づいて、前記開閉回路を開状態にするタイミングを制御する制御ステップと、を含むことを特徴とする。
【発明の効果】
【０００９】
本発明によれば、操作に応じたタイミングで電源遮断制御を行うことで、ジョブの保護及び安全性の確保を両立できる。
【図面の簡単な説明】
【００１０】
【図１】図１は、第１の実施の形態にかかる画像形成装置の全体回路構成を示したブロック図である。
【図２】図２は、第１実施の形態にかかる画像形成装置における、ＡＣスイッチの操作に基づく終了処理の手順を示すフローチャートである。
【図３】図３は、第２実施の形態にかかる画像形成装置における、ＡＣスイッチの操作に基づく終了処理の手順を示すフローチャートである。
【図４】図４は、第２実施の形態にかかる画像形成装置内で、終了処理を行う際に送受信される信号のタイミングチャートを示した図である。
【図５】図５は、第３の実施の形態にかかる画像形成装置の全体回路構成を示したブロック図である。
【図６】図６は、モード時遮断操作管理テーブルのテーブル構造の例を示した図である。
【図７】図７は、遮断タイミング管理テーブルのテーブル構造の例を示した図である。
【図８】図８は、第２実施の形態にかかる画像形成装置における、ＡＣスイッチ及び外部電源スイッチの操作に基づく終了処理の手順を示すフローチャートである。
【発明を実施するための形態】
【００１１】
以下に添付図面を参照して、この発明にかかる画像形成装置、及び電源制御方法の一実施の形態を詳細に説明する。
【００１２】
（第１の実施の形態）
図１は、第１の実施の形態にかかる画像形成装置の全体回路構成を示したブロック図である。図１に示すように、画像形成装置１００は、商用電源１０１と、ＡＣスイッチ１０２と、リレー回路１０３と、定電圧生成回路１０４と、エンジン部１０５と、コントローラ部１０６と、を備える。
【００１３】
図１に示すように画像形成装置１００においては、ＡＣスイッチ１０２と、リレー回路１０３と、がオン（接続されている）の場合に、商用電源１０１から定電圧生成回路１０４に電力が供給された後、定電圧の電力が、エンジン部１０５とコントローラ部１０６とに供給される。定電圧生成回路は、電源から供給される電力に基づいて、所定の電圧を生成する。
【００１４】
商用電源１０１は、画像形成装置１００全体に対して電力を供給する。ＡＣスイッチ１０２は、第１のスイッチの一例である。ＡＣスイッチ１０２は開閉検出センサ１１２を備え、商用電源１０１と定電圧生成回路１０４とを接続する電流経路上で、ユーザからの操作に基づいて電流経路の開閉（電源供給のオン／オフ）を切り替えるスイッチとする。
【００１５】
開閉検出センサ１１２は、ＡＣスイッチ１０２のオン／オフを検出し、検出結果を示す検出信号を、コントローラ部１０６に出力する。
【００１６】
リレー回路１０３は、開閉回路の１例である。リレー回路１０３は、図１に示すように、商用電源１０１と定電圧生成回路１０４とを接続する電流経路上であって、ＡＣスイッチ１０２が備えられた電流経路と並列に設けられた電流経路上で、電流経路の開閉を切り替える開閉手段である。また、リレー回路１０３はＡＣスイッチ１０２がオフの状態で電源供給を遮断可能（電源供給のオフが可能）な回路とする。例えば、リレー回路１０３は、定電圧生成回路１０４から出力され、且つコントローラ制御部１３１からのリレー制御信号がオンの場合にＡＣ接点クローズとなる。また、リレー回路１０３は、定電圧生成回路１０４からの出力が停止された場合、又はコントローラ制御部１３１からのリレー制御信号がオフの場合にＡＣ接点オープンとなる。
【００１７】
定電圧生成回路１０４は、電力遮断回路１１１を備え、商用電源１０１から供給された電力を一定電圧に安定化した後、エンジン部１０５及びコントローラ部１０６に電力を供給する。
【００１８】
電力遮断回路１１１は、コントローラ制御部１３１から電力遮断制御信号が入力された場合に、エンジン部１０５及びコントローラ部１０６に対して供給している電力を遮断する。
【００１９】
エンジン部１０５は、エンジン制御部１２１と、スキャナ１２２と、書込部１２３と、トナー作像部１２４と、定着部１２５とを備える。
【００２０】
エンジン制御部１２１は、ＣＰＵ、ＣＰＵ周辺を制御するＡＳＩＣ並びに外部とのインターフェイス回路等が搭載されており、スキャナ１２２と、書込部１２３と、トナー作像部１２４と、定着部１２５と、を制御する。
【００２１】
スキャナ１２２は、コピー原稿を光学的に読み込む。書込部１２３は、画像データをドラム上に書き込む。トナー作像部１２４は、ドラム上に書き込まれた画像データをトナーで現像して可視化し、トナー像を転写ベルトに転写する。定着部１２５は、転写ベルトに転写されたトナー像を加熱，加圧しながら定着させ、印刷用紙上に画像を形成する。
【００２２】
コントローラ部１０６は、ＣＰＵ、ＣＰＵ周辺を制御するＡＳＩＣ並びに外部とのインターフェイス回路等が搭載されており、コントローラ制御部１３１と、ＨＤＤ１３２と、ＬＡＮインターフェイス（Ｉ／Ｆ）１３３と、省エネ監視部１３４と、を備え、画像形成装置１００全体の制御を行う。
【００２３】
ＨＤＤ１３２は、画像データ等を記憶する。ＬＡＮインターフェイス（Ｉ／Ｆ）１３３は、外部との通信を行う。省エネ監視部１３４は、電源スイッチ、ＡＤＦ開閉等の省エネ復帰要因を監視する。
【００２４】
コントローラ制御部１３１は、検出部１４１と、遮断制御部１４２と、タイマ１４３とを備え、信号の入出力により、リレー回路１０３、定電圧生成回路１０４、ＨＤＤ１３２、ＬＡＮインターフェイス１３３と、省エネ監視部１３４等の制御を行う。
【００２５】
なお、コントローラ制御部１３１と、エンジン制御部１２１と、の間は、シリアル等のインターフェイスで接続されている。詳細は公知のため省略する。
【００２６】
検出部１４１は第１の検出手段の１例であり、ＡＣスイッチ１０２の開閉操作を示す、オン／オフ信号を検出する。
【００２７】
タイマ１４３は、ＡＣスイッチ１０２のＡＣスイッチのオフ信号を、検出部１４１が検出してから、カウントを開始する。
【００２８】
遮断制御部１４２は、電源の終了処理として定められたタイミングを示した複数の条件から、検出部１４１が検出したＡＣスイッチ１０２の操作のパターンに対応する条件で、電力の遮断制御を行う。本実施の形態においては、操作のパターンを、ＡＣスイッチ１０２をオフにする押下回数とする。つまり、本実施の形態では、ＡＣスイッチ１０２をオフにする押下回数（＝ＡＣスイッチが配置された電流経路を開状態とする操作）に応じた条件で、電力の遮断制御が行われる。
【００２９】
本実施の形態では、遮断制御部１４２は、タイマ１４３がカウント開始してから所定の時間経過した後に、当該所定の時間の間に、検出部１４１が検出したＡＣスイッチ１０２をオフにする押下回数に応じたタイミングを示した条件に従って、電力の遮断制御を行う。
【００３０】
本実施の形態では、押下回数と、タイミングを示した条件に従った処理と、の対応付けがなされたコードが、コントローラ制御部１３１の遮断記憶部１４１内で保持されているものとする。本実施の形態ではこのように、操作パターンと、タイミングを示した条件と、を記憶している。が、このような実装方法に限らず、例えば、コントローラ制御部１３１内に、操作パターンと条件とを対応付けたメモリを設け、遮断制御部１４２が、当該メモリを参照するようにしてもよい。
【００３１】
また、本実施の形態では、電源の終了処理を行うタイミングを示す条件として、ＡＣスイッチ１０２をオフの状態とすることにより行われる操作のパターンに基づいてタイミングを示す条件が認識された後リレー回路１０３を即時オフにすることによる即時遮断と、リレー回路１０３のオン状態を維持して実行中のジョブの終了後に行うシャットダウン処理の中でリレー回路１０３をオフにするシャットダウン処理遮断と、いう２種類の条件が、遮断制御部１４２に設定されているものとする。
【００３２】
例えば、押下回数を待機する時間として３秒が設定されているものとする。そして、当該待機時間内に、押下回数を２回以上であるか否かで、終了する条件を切り替えるものとする。例えば、３秒以内に押下が２回以上検出された場合に、遮断制御部１４２は、即時遮断する制御を行う。一方、３秒以内に押下が１回のみ検出された場合に、遮断制御部１４２は、現在実行中の印刷ジョブが終了してからシャットダウン処理の中でシャットダウン処理遮断を行うよう制御する。
【００３３】
また、遮断制御部１４２は、リレー制御信号を出力することで、リレー回路１０３のＡＣ接点のオープン／クローズを制御できる。さらに、遮断制御部１４２は、電力遮断制御信号を出力することで、電力遮断回路１１１による電力の遮断制御を行うことができる。これら遮断制御は、遮断制御部１４２が終了処理に応じて使い分けることとする。
【００３４】
次に、本実施の形態にかかる画像形成装置１００におけるＡＣスイッチ１０２の操作に基づく終了処理について説明する。図２は、本実施の形態にかかる画像形成装置１００における上述した処理の手順を示すフローチャートである。
【００３５】
まず、画像形成装置１００が起動すると、コントローラ制御部１３１の検出部１４１は、ＡＣスイッチ１０２の信号の監視を開始する（ステップＳ２０１）。
【００３６】
次に、検出部１４１が、ＡＣスイッチ１０２のオフ信号を検出する（ステップＳ２０２）。本フローチャートでは、ＡＣスイッチ１０２のオフ信号を検出した場合について説明する。
【００３７】
そして、検出部１４１は、検出回数Ｎを‘１’に設定する（ステップＳ２０３）。そして、検出部１４１からの要求に従って、タイマ１４３は、カウントを開始する（ステップＳ２０４）。
【００３８】
そして、遮断制御部１４２は、タイマ１４３により開始されたカウントに基づいて、所定の時間を経過したか否か判定する（ステップＳ２０５）。この所定の時間としては、本実施の形態では３秒とするが、実施の態様に応じて適切な時間が設定されていればよい。
【００３９】
そして、所定の時間を経過していない場合（ステップＳ２０５：Ｎｏ）、検出部１４１は、さらにＡＣスイッチ１０２のオフ信号を検出したか否か判定する（ステップＳ２０６）。検出してない場合（ステップＳ２０６：Ｎｏ）、再びステップＳ２０５に戻って処理を再開する。
【００４０】
一方、検出部１４１が、さらにＡＣスイッチ１０２のオフ信号を検出した場合（ステップＳ２０６：Ｙｅｓ）、検出回数Ｎを‘１’増加し（ステップＳ２０７）、再びステップＳ２０５に戻って処理を再開する。
【００４１】
また、遮断制御部１４２が、所定の時間を経過したと判定した場合（ステップＳ２０５：Ｙｅｓ）、検出回数Ｎが所定の回数以上であるか否かを判定する（ステップＳ２０８）。本実施の形態では、所定の回数を‘２’とするが、‘２’以上の回数でもよい。
【００４２】
そして、遮断制御部１４２が所定の回数以上と判定した場合（ステップＳ２０８：Ｙｅｓ）、リレー制御信号によりリレー回路１０３をオフにして画像形成装置１００のシステム全体への電源供給を即時遮断する（ステップＳ２０９）。このときＡＣスイッチ１０２はオフになっているので、リレー回路１０３をオフにすることにより、画像形成装置１００のシステム全体への電源供給は即時遮断される。
【００４３】
一方、遮断制御部１４２が所定の回数未満と判定した場合（ステップＳ２０８：Ｎｏ）、エンジン制御部１２１の状態の確認処理を行い、動作中であるか否かを判定する（ステップＳ２１０）。エンジン制御部１２１から動作中ではないと判定した場合（ステップＳ２１０：Ｎｏ）、遮断制御部１４２は、コントローラ制御部１３１のシャットダウン動作に基づく所定のタイミングまでリレー回路１０３のオンを維持し、所定のタイミングでリレー回路１０３をオフにすることにより遮断制御を行う（ステップＳ２１２）。このときＡＣスイッチ１０２はオフになっているが、リレー回路１０３がオンになっているので電源は供給される。そしてリレー回路１０３をオフにすることにより電源供給は遮断される。なお、シャットダウン処理時に行われる遮断制御のタイミングは、周知のタイミングを用いればよいものとして、説明を省略する。
【００４４】
また、遮断制御部１４２は、エンジン制御部１２１が動作中と判定した場合（ステップＳ２１０：Ｙｅｓ）、実行中のジョブの処理が終了するまで待機する（ステップＳ２１１）。そして、エンジン制御部１２１からジョブの処理が終了した旨の通知を受けた後、コントローラ制御部１３１がシャットダウン動作を開始し、遮断制御部１４２は、当該シャットダウン動作に基づく所定のタイミングまでリレー回路１０３のオンを維持し、所定のタイミングでリレー回路１０３をオフにすることにより遮断制御を行う（ステップＳ２１２）。このときＡＣスイッチ１０２はオフになっているが、リレー回路１０３がオンになっているので電源は供給される。そしてリレー回路１０３をオフにすることにより電源供給は遮断される。
【００４５】
上述した処理手順により、ＡＣスイッチ１０２をオフにする押下が２回以上行われた場合には、即時遮断が行われる一方、ＡＣスイッチ１０２をオフにする押下が一回しか行われなかった場合には、印刷ジョブの終了を待ってシャットダウン処理が行われることとした。
【００４６】
このように、本実施の形態にかかる画像形成装置１００では即時遮断と、印刷ジョブ終了後のシャットダウン処理と、を切り替えることとした。しかしながら、これら２種類の終了処理を切り替えることに制限するものではない。例えば、即時遮断、又は印刷ジョブ終了後のシャットダウン処理に変わる終了処理として、強制排紙後のシャットダウン処理を行うよう制御してもよい。
【００４７】
本実施の形態にかかる画像形成装置１００では、ＡＣスイッチ１０２の操作パターンに基づいて、画像形成装置１００の終了手順を切り替えることができる。これにより、本実施の形態にかかる画像形成装置１００では、シャットダウン時に表示画面を参照した上で印刷ジョブに関する処理を入力デバイス等で選択する必要がなくなるため、操作負担を軽減できる。
【００４８】
第１の実施にかかる画像形成装置１００では、シャットダウン時に行われる動作をＡＣスイッチ１０２で切り替えられるようにした。換言すると、緊急性によるシャットダウン処理移行の優先順位を、ＡＣスイッチ１０２の操作パターンに予め設定できる。
【００４９】
そして、第１の実施にかかる画像形成装置１００では、ＡＣスイッチ１０２の操作パターンに応じた遮断処理を予め設定しておくことで、シャットダウン時にジョブの削除または実行をユーザが選択操作する必要がなくなった。これにより、画像形成装置１００は、ジョブの保護又は削除、並びに安全性の確保を両立できる。
【００５０】
さらに、第１の実施にかかる画像形成装置１００では、ＡＣスイッチ１０２の操作パターンに応じて、ジョブの保護のレベルを変更できる。
【００５１】
このように、第１の実施にかかる画像形成装置１００では、あらかじめ電力遮断タイミングを決定しておくことで、深刻なシステムの問題が発生した際に、ユーザに遮断タイミングを選ばせることなく電力遮断が可能となり、安全性の確保が可能となる。
【００５２】
（第２の実施の形態）
第１の実施の形態にかかる画像形成装置１００では、ＡＣスイッチ１０２をオフにする押下が行われた回数が２回以上か否かに基づいて、遮断制御を切り替える場合について説明した。しかしながら、遮断制御の切り替え手法を第１の実施の形態に制限するものではない。そこで、第２の実施の形態ではさらに多くの種類の遮断制御を行う例について説明する。なお、画像形成装置１００の構成は、第１の実施の形態と同様として、説明を省略する。
【００５３】
第２の実施の形態においては、遮断制御部１４２のみ第１の実施の形態と処理が異なる。第２の実施の形態にかかる遮断制御部１４２は、検出部１４１が検出した操作のパターンに基づいて、即時遮断制御、ジョブを終了した後のシャットダウン処理、及び強制排紙を行った後のシャットダウン処理のうちいずれか一つの遮断制御を行う。
【００５４】
本実施の形態では、遮断制御部１４２が、３種類の押下回数と、終了するタイミングに関する条件に従った終了処理と、を対応付けたコードに従って遮断制御を行う。
【００５５】
次に、第２の実施の形態にかかる画像形成装置１００におけるＡＣスイッチ１０２の操作に基づく終了処理について説明する。図３は、第２の実施の形態にかかる画像形成装置１００における上述した処理の手順を示すフローチャートである。
【００５６】
まず、第１の実施の形態の図２で示したステップＳ２０１〜Ｓ２０７までの処理手順と同様の処理手順で、所定の時間（例えば３秒）経過するまでの処理が行われる（ステップＳ３０１〜Ｓ３０７）。
【００５７】
そして、所定の時間が経過した後、遮断制御部１４２が、検出回数Ｎが第１の回数以上であるか否かを判定する（ステップＳ３０８）。本実施の形態では、第１の回数を‘５’とするが、‘５’以外の回数でもよい。
【００５８】
そして、遮断制御部１４２が第１の回数以上と判定した場合（ステップＳ３０８：Ｙｅｓ）、リレー制御信号によりリレー回路１０３をオフにし、画像形成装置１００のシステム全体への電源供給を即時遮断する（ステップＳ３０９）。このときＡＣスイッチ１０２はオフになっているので、リレー回路１０３をオフにすることにより、画像形成装置１００のシステム全体への電源供給は即時遮断される。
【００５９】
一方、遮断制御部１４２が第１の回数未満と判定した場合（ステップＳ３０８）、検出回数Ｎが第２の回数以上であるか否かを判定する（ステップＳ３１０）。本実施の形態では、第２の回数を‘２’とするが、第１の回数より小さい回数であれば‘２’以外の回数でもよい。
【００６０】
遮断制御部１４２が第２の回数以上と判定した場合（ステップＳ３１０：Ｙｅｓ）、エンジン制御部１２１の状態の確認処理を行い、動作中であるか否かを判定する（ステップＳ３１１）。そして、エンジン制御部１２１からの通知に基づいて、動作中ではない（例えば、スタンバイ、スリープ）と判定した場合（ステップＳ３１１：Ｎｏ）、遮断制御部１４２は、コントローラ制御部１３１のシャットダウン動作に基づく所定のタイミングまでリレー回路１０３のオンを維持し、所定のタイミングでリレー回路１０３をオフにすることにより遮断制御を行う（ステップＳ３１３）。このときＡＣスイッチ１０２はオフになっているが、リレー回路１０３がオンされているので電源は供給される。そしてリレー回路１０３をオフすることにより電源供給は遮断される。
【００６１】
一方、遮断制御部１４２は、エンジン制御部１２１が動作中であると判定した場合（ステップＳ３１１：Ｙｅｓ）、換言すればエンジン制御部１２１から動作状態であるとの通知を受け付けた場合、コントローラ制御部１３１は、給紙動作を止めるため、両面動作中の場合には片面動作に切り換えた上で、機内滞在時間が最小時間になるよう記録用紙の強制排出をエンジン制御部１２１に指示する（ステップＳ３１２）。この強制排出の際、エンジン部１０５は作像動作を行わない。
【００６２】
そして、記録用紙がすべて排紙された後、エンジン制御部１２１は、コントローラ制御部１３１に排紙が完了したことを通知する。これに伴い、コントローラ制御部１３１は、シャットダウン動作に移行する。そして、コントローラ制御部１３１がシャットダウン動作に移行した後、遮断制御部１４２が、当該シャットダウン動作に基づく所定のタイミングまでリレー回路１０３のオンを維持し、所定のタイミングでリレー回路１０３をオフにすることにより遮断制御を行う（ステップＳ３１３）。このときＡＣスイッチ１０２はオフになっているので、リレー回路１０３をオフすることにより電源供給は遮断される。
【００６３】
また、ステップＳ３１０で、遮断制御部１４２が第２の回数より小さいと判定した場合（ステップＳ３１０：Ｎｏ）、エンジン制御部１２１の状態の確認処理を行い、動作中であるか否かを判定する（ステップＳ３１４）。エンジン制御部１２１から動作中ではないと判定した場合（ステップＳ３１４：Ｎｏ）、遮断制御部１４２は、コントローラ制御部１３１のシャットダウン動作に基づく所定のタイミングまでリレー回路１０３のオンを維持し、所定のタイミングでリレー回路１０３をオフにすることにより遮断制御を行う（ステップＳ３１３）。このときＡＣスイッチ１０２はオフになっているが、リレー回路１０３がオンになっているので電源は供給される。そしてリレー回路１０３をオフにすることにより電源供給は遮断される。なお、シャットダウン処理時に行われる遮断制御のタイミングは、周知のタイミングを用いればよいものとして、説明を省略する。
【００６４】
また、遮断制御部１４２は、エンジン制御部１２１が動作中と判定した場合（ステップＳ３１４：Ｙｅｓ）、実行中のジョブの処理が終了するまで待機する（ステップＳ３１５）。そして、エンジン制御部１２１からジョブの処理が終了した旨の通知を受けた後、コントローラ制御部１３１がシャットダウン動作を開始し、遮断制御部１４２は、当該シャットダウン動作に基づく所定のタイミングまでリレー回路１０３のオンを維持し、所定のタイミングでリレー回路１０３をオフにすることにより遮断制御を行う（ステップＳ３１３）。このときＡＣスイッチ１０２はオフになっているが、リレー回路１０３がオンになっているので電源は供給される。そしてリレー回路１０３をオフにすることにより電源供給は遮断される。（ステップＳ３１３）。
【００６５】
上述した処理手順により、ＡＣスイッチ１０２をオフにする押下が５回以上行われた場合には、即時遮断が行われ、ＡＣスイッチ１０２をオフにする押下が２〜４回行われた場合には、強制排紙した後シャットダウン処理を行い、ＡＣスイッチ１０２をオフにする押下が一回しか行われなかった場合には、印刷ジョブの終了を待ってシャットダウン処理が行われることとした。
【００６６】
次に、図３で示したフローチャートを実行する際の、画像形成装置１００内で送受信される信号について説明する。図４は、終了処理を行う際に、画像形成装置１００内で送受信される信号のタイミングチャートを示した図である。
【００６７】
まず、開閉検出センサ１１２が、ＡＣスイッチ１０２のオン／オフ信号を出力する。そして、検出部１４１は、入力されるＡＣスイッチ１０２のオン／オフ信号のＯＦＦエッジにて、ＡＣスイッチ１０２がオフになったことを検出する。これに伴い、検出部１４１は、ＡＣスイッチ１０２のオフ検出信号を出力する。
【００６８】
この検出部１４１から出力されたＡＣスイッチ１０２のオフ検出信号をトリガーとして、タイマ１４３が、所定の時間が設定されたワンショットタイマによる、カウントを開始する。さらに、遮断制御部１４２が、図示しないＡＣスイッチ・オフ・カウンタを備え、ＡＣスイッチ１０２のオフ検出信号が入力される毎に、ＡＣスイッチＯＦＦカウンタを‘１’増加し、ＡＣスイッチ１０２がオフになった回数をカウントする。
【００６９】
そして、ＡＣスイッチＯＦＦカウンタが‘１’の場合に、ジョブの処理が終了した後にシャットダウン処理する状態に遷移する。
【００７０】
また、タイマ１４３によるワンショットタイマがネゲートする前に、検出部１４１が、さらにＡＣスイッチ１０２のオフ信号を検出した場合、遮断制御部１４２は、ＡＣスイッチＯＦＦカウンタを‘２’にし、強制機内排紙する状態に遷移する。
【００７１】
さらに、タイマ１４３によるワンショットタイマがネゲートする前に、同様の処理を何度か繰り返され、遮断制御部１４２は、ＡＣスイッチＯＦＦカウンタが‘５’になった場合に、即遮断する状態に遷移する。
【００７２】
図４に示すように、タイマ１４３によるワンショットタイマがネゲートする前であれば、ＡＣスイッチ１０２のオフ信号を検出される毎に、ＡＣスイッチＯＦＦカウンタがカウントされ、当該カウント数に応じたシステム状態に遷移する。
【００７３】
第２の実施の形態では、ＡＣスイッチ１０２のＯＦＦエッジに基づいて、システム状態を遷移する例を示した。このような手法に制限するものではなく、ＡＣスイッチ１０２をオフにする押下が行われた回数に応じて、遮断処理を切り替えられるのであれば、どのような手法を用いてもよい。
【００７４】
第２の実施の形態では、ＡＣスイッチ１０２をオフにする押下回数に応じて、３種類の遮断制御から選択できるため、ユーザが所望するより詳細な遮断制御が可能となった。
【００７５】
（第３の実施の形態）
第１及び第２の実施の形態においては、画像形成装置１００のＡＣスイッチ１０２の操作のみに基づいて、遮断制御を行う例とした。しかしながら、一つのスイッチによる操作に制限するものではなく、複数種類のスイッチ操作で遮断制御を行ってもよい。
【００７６】
図５は、第３の実施の形態にかかる画像形成装置の全体回路構成を示したブロック図である。図３に示すように、画像形成装置５００は、上述した第１の実施の形態にかかる画像形成装置１００とは、外部電源スイッチ５０１が追加され、コントローラ部１０６とは処理が異なるコントローラ部５０２に変更されている点で異なる。以下の説明では、上述した第１の実施の形態と同一の構成要素には同一の符号を付してその説明を省略している。
【００７７】
図５に示すように、画像形成装置５００では、ＡＣスイッチ１０２以外の電源スイッチとして、外部電源スイッチ５０１が設けられている。なお、第３の実施の形態では、ＡＣスイッチ１０２以外の電源スイッチとして１つだけ電源スイッチを追加した例について説明するが、複数個追加してもよい。
【００７８】
外部電源スイッチ５０１は、押下検出センサ５１１を備え、ユーザからの押下に基づいて、商用電源１０１から画像形成装置５００への電力供給のオン／オフを切り替える旨のオン／オフ指示信号を出力するスイッチとする。外部電源スイッチ５０１は、例えばソフトウェアによるスイッチなどが考えられる。そして、オン／オフ指示信号は、画像形成装置５００を制御するコントローラ部５０２に出力される。これにより、コントローラ部５０２の（図示しない）ＣＰＵ上で動作するプログラム等が、当該オン／オフ指示信号に従って処理を行うものとする。
【００７９】
押下検出センサ５１１は、ＡＣスイッチ１０２の押下を検出し、検出結果を示す検出信号を、コントローラ部５０２に出力する。
【００８０】
コントローラ部５０２は、第１の実施の形態にかかるコントローラ部１０６とは、コントローラ制御部１３１と処理が異なるコントローラ制御部５２１に変更されている点で異なる。
【００８１】
コントローラ制御部５２１は、上述した第１の実施の形態にかかるコントローラ制御部１３１とは、メモリ５２４及び変更部５２５が追加され、検出部１４１と処理が異なる検出部５２２に変更され、遮断制御部１４２と処理が異なる遮断制御部５２３に変更されている点で異なる。
【００８２】
メモリ５２４は、モード時遮断操作管理テーブルと、遮断タイミング管理テーブルと、を記憶する。
【００８３】
モード時遮断操作管理テーブルは、ＡＣスイッチ１０２及び外部電源スイッチ５０１の操作のパターン及び画像形成装置５００の動作モードと、電源の遮断タイミングを示すタイミング番号と、を対応づけて記憶している。図６は、モード時遮断操作管理テーブルのテーブル構造の例を示した図である。
【００８４】
図６に示すように、モード時遮断操作管理テーブルを参照することで、画像形成装置１００の動作モードと、オフを指示する操作がなされた電源スイッチの種類と、からタイミング番号を特定できる。なお、“ＡＣスイッチ＋外部電源スイッチ”は、ＡＣスイッチ１０２の後に、外部電源スイッチ５０１が押下されたことを示し、“外部電源スイッチ＋ＡＣスイッチ”は、外部電源スイッチ５０１の後に、ＡＣスイッチ１０２が押下されたことを示している。
【００８５】
遮断タイミング管理テーブルは、タイミング番号と、当該タイミング番号のときに実行する電力の遮断制御パターンと、を対応づけて記憶している。図７は、遮断タイミング管理テーブルのテーブル構造の例を示した図である。
【００８６】
図７に示すように、遮断タイミング管理テーブルを参照することで、タイミング番号から、電源遮断を行うタイミングを特定できる。このように、遮断タイミング管理テーブルにおいては、実行しているジョブへの対応として、予め定められた複数の遮断処理のタイミングの条件が設定されている。つまり、ジョブを最後まで実行するのか、ジョブを破棄して即遮断するのか等が設定されている。
【００８７】
また、これらモード時遮断操作管理テーブル及び遮断タイミング管理テーブルを組み合わせることで、ユーザの操作パターン及び動作モードから、実行されているジョブへの対応として予め定められている電力の遮断制御のパターンを特定できることになる。
【００８８】
変更部５２５は、ユーザからの入力に応じて、上述したモード時遮断操作管理テーブル及び遮断タイミング管理テーブルの保持するデータを変更する。これにより、変更部５２５は、操作のパターン及び電力の遮断制御のパターンを変更できる。
【００８９】
変更部５２５により、ＡＣスイッチ１０２及び外部電源スイッチ５０１との組み合わせ操作に対して、画像形成装置１００の電力遮断タイミングを任意に設定できるので、ユーザが所望する電力の遮断制御を行うことができる。なお、変更部５２５が変更するためのユーザの入力は、図示しない操作表示部に対する操作や、ネットワーク経由での設定など様々な態様で可能とする。なお、デフォルトの設定は安全側にしておくとなお良い。
【００９０】
検出部５２２は、ＡＣスイッチ１０２の開閉操作を示す、オン／オフ信号を検出する他、外部電源スイッチ５０１に対する押下されたか否かを示す、電源キー検出信号を検出する。なお、ここでは検出部５２２が２つの信号を検出しているが、外部電源スイッチ５０１に対する押下されたか否かを示す、電源キー検出信号を検出する検出部を新たに設けても良い。
【００９１】
遮断制御部５２３は、モード時遮断操作管理テーブル及び遮断タイミング管理テーブルを参照し、検出部５２２がＡＣスイッチ１０２及び外部電源スイッチ５０１に対してなされた電源オフ操作に基づいて、電力の遮断制御を行う。
【００９２】
遮断制御部５２３は、外部電源スイッチ５０１の押下されたことが検出された場合に、定電圧生成回路１０４内の電力遮断回路１１１で電源を遮断する。電力遮断と同時に、例えば、ＡＣスイッチ１０２内部にソレノイド（ＳＯＬ）等を搭載しているスイッチがあるが、このＳＯＬ等を動作させることにより、電力遮断と同時にＡＣスイッチ１０２をオフにしてもよい。
【００９３】
具体的には、遮断制御部５２３は、モード時遮断操作管理テーブルを参照し、検出部５２２が検出した外部電源スイッチ５０１とＡＣスイッチ１０２との組み合わせでなされた操作と、画像形成装置１００の動作モードとから、タイミング番号を特定する。その後、遮断制御部５２３は、遮断タイミング管理テーブルを参照し、特定されたタイミング番号と対応づけられている電源遮断タイミングを特定する。そして、遮断制御部１４２は特定された電源遮断タイミングに従ってリレー回路１０３をオフにすることで、電源の遮断制御を行う。
【００９４】
次に、本実施の形態にかかる画像形成装置５００における、ＡＣスイッチ１０２及び外部電源スイッチ５０１の操作に基づく終了処理について説明する。図８は、本実施の形態にかかる画像形成装置５００における上述した処理の手順を示すフローチャートである。
【００９５】
まず、画像形成装置５００が起動すると、コントローラ制御部５２１の検出部５２２は、ＡＣスイッチ１０２及び外部電源スイッチ５０１の信号の監視を開始する（ステップＳ８０１）。本フローチャートでは、ＡＣスイッチ１０２又は外部電源スイッチ５０１のオフ信号を検出した場合を説明する。
【００９６】
その後、検出部５２２が、ＡＣスイッチ１０２のオフ信号及び外部電源スイッチ５０１のいずれか一つのオフ（押下されたことを示す）信号（電源キー検出信号）を検出する（ステップＳ８０２）。
【００９７】
そして、検出部５２２からの要求に従って、タイマ１４３は、カウントを開始する（ステップＳ８０３）。
【００９８】
そして、検出部５２２は、所定時間（例えば３秒）内に、ＡＣスイッチ１０２及び外部電源スイッチ５０１のオフ（押下されたことを示す）信号を検出することで、ＡＣスイッチ１０２及び外部電源スイッチ５０１がどのように操作されたのかを監視する（ステップＳ８０４）。
【００９９】
次に、遮断制御部５２３は、画像形成装置１００の動作モードを確認するとともに、エンジン部１０５の動作状態を確認する（ステップＳ８０５）。
【０１００】
そして、遮断制御部５２３は、モード時遮断操作管理テーブルと、遮断タイミング管理テーブルと、を参照し、ＡＣスイッチ１０２及び外部電源スイッチ５０１に対してなされた操作と、画像形成装置１００の動作モードから、電源遮断タイミングを特定する（ステップＳ８０６）。
【０１０１】
そして、遮断制御部５２３は、特定した電源遮断タイミングに従ってリレー回路１０３をオフにすることで、電源遮断処理を行う（ステップＳ８０７）。なお、実際の電源遮断処理は、エンジン部１０５の動作状態によっても異なることとする。この動作状態による処理の違いは、第１及び第２の実施の形態と同様として説明を省略する。
【０１０２】
上述した処理手順により、画像形成装置５００では、ＡＣスイッチ１０２及び外部電源スイッチ５０１になされた操作に従って、ユーザが所望する電源遮断をおこなうことができる。
【０１０３】
また、第３の実施の形態で示した操作は、一例として示したものであり、例えばＡＣスイッチ１０２及び外部電源スイッチ５０１のそれぞれに押下された回数に基づいて、電源遮断処理を切り替えてもよい。
【０１０４】
このように、第３の実施にかかる画像形成装置１００では、第１及び第２の実施の形態で示した効果の他に、複数のスイッチのいずれか一つの操作、及び組み合わせ操作に従って、電源遮断処理を行うことで、よりユーザの要求に従った電源遮断処理を実現することができる。
【０１０５】
さらには、第３の実施にかかる画像形成装置１００では、モード時遮断操作管理テーブル及び遮断タイミング管理テーブルをユーザが変更できるので、ユーザが所望する電源遮断処理を実現できる。
【０１０６】
なお、上述した実施の形態の画像形成装置１００、５００のコントローラ制御部１３１、５２１で実行される電源制御プログラムは、ＲＯＭ等に予め組み込まれて提供される。
【０１０７】
本実施の形態の上述した実施の形態の画像形成装置１００、５００のコントローラ制御部１３１、５２１で実行される電源制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１０８】
さらに、上述した実施の形態の画像形成装置１００、５００のコントローラ制御部１３１、５２１で実行される電源制御プログラムを、インターネット等のネットワークに接続されたコンピュータ上に格納し、ネットワーク経由でダウンロードさせることにより提供するように構成しても良い。また、上述した実施の形態の画像形成装置１００、５００のコントローラ制御部１３１、５２１で実行される電源制御プログラムをインターネット等のネットワーク経由で提供または配布するように構成しても良い。
【０１０９】
本実施の形態の上述した実施の形態の画像形成装置１００、５００のコントローラ制御部１３１、５２１で実行される電源制御プログラムは、上述した各部（検出部、遮断制御部、変更部）を含むモジュール構成となっており、実際のハードウェアとしてはＣＰＵ（プロセッサ）が上記ＲＯＭから電源制御プログラムを読み出して実行することにより上記各部が主記憶装置上にロードされ、検出部、遮断制御部、変更部が主記憶装置上に生成されるようになっている。
【０１１０】
なお、上記実施の形態では、画像形成装置を、コピー機能、プリンタ機能、スキャナ機能およびファクシミリ機能のうち少なくとも２つの機能を有する複合機に適用した例を挙げて説明するが、複写機、プリンタ、スキャナ装置、ファクシミリ装置等の画像形成装置であればいずれにも適用することができる。
【符号の説明】
【０１１１】
１００、５００  画像形成装置
１０１  商用電源
１０２  ＡＣスイッチ
１０３  リレー回路
１０４  定電圧生成回路
１０５  エンジン部
１０６、５０２  コントローラ部
１１１  電力遮断回路
１１２  開閉検出センサ
１２１  エンジン制御部
１２２  スキャナ
１２３  書込部
１２４  トナー作像部
１２５  定着部
１３１、５２１  コントローラ制御部
１３３  ＬＡＮインターフェイス
１３４  省エネ監視部
１４１、５２２  検出部
１４２、５２３  遮断制御部
１４３  タイマ
５０１  外部電源スイッチ
５１１  押下検出センサ
５２４  メモリ
５２５  変更部
【先行技術文献】
【特許文献】
【０１１２】
【特許文献１】特開２００６−２６８１１７号公報
【図１】
0005418340.tif 000002
【図２】
0005418340.tif 000003
【図３】
0005418340.tif 000004
【図４】
0005418340.tif 000005
【図５】
0005418340.tif 000006
【図６】
0005418340.tif 000007
【図７】
0005418340.tif 000008
【図８】
0005418340.tif 000009